(57)【要約】【課題】電気機器の識別情報に関する設定作業を行うことなく、紐付け情報を取得することができる、コンセント装置を提供すること。【解決手段】コンセント装置１００は、電気機器に電力を供給するコンセント装置であって、前記電気機器の消費電力を監視する消費電力測定部１１０と、少なくとも命令の対象の識別情報を示す命令信号を受信する命令受信部１２０と、命令信号の受信タイミングで消費電力が変化したとき、当該命令信号が示す識別情報を、電気機器の識別情報として取得する通知制御部１３０とを有する。【選択図】図１
2013009559.tif 000002
【特許請求の範囲】
【請求項１】
電気機器に電力を供給するコンセント装置であって、
前記電気機器の消費電力を監視する消費電力測定部と、
少なくとも命令の対象の識別情報を示す命令信号を受信する命令受信部と、
前記命令信号の受信タイミングで前記消費電力が変化したとき、当該命令信号が示す前記識別情報を、前記電気機器の識別情報として取得する通知制御部と、を有する、
コンセント装置。
【請求項２】
取得された前記識別情報を、前記コンセント装置の識別情報と対応付けて、サーバ装置に通知するサーバ通知部、を更に有する、
請求項１記載のコンセント装置。
【請求項３】
前記サーバ通知部は、
前記消費電力の監視結果を、前記サーバ通知部に通知する、
請求項２記載のコンセント装置。
【請求項４】
前記命令信号は、前記命令の内容を示し、
前記通知制御部は、
電源オンの命令を示す前記命令信号が受信され、かつ、その受信の直後に前記消費電力が上昇したとき、当該命令信号が示す前記識別情報を、前記電気機器の識別情報として取得する、
請求項３記載のコンセント装置。
【請求項５】
電源オンの命令を示す前記命令信号が受信されたとき、前記電気機器に対する電力供給の停止を解除する給電開閉部と、
前記電力供給の停止の解除の直後に、受信された前記命令信号を送信する命令送信部と、を有し、
前記通知制御部は、
前記命令送信部による前記命令信号の送信の直後に前記消費電力が変化したとき、当該命令信号が示す前記識別情報を、前記電気機器の識別情報として取得し、前記電気機器への電力供給が開始された直後に、前記命令送信部に対して、受信された前記命令信号を送信させる、
請求項４記載のコンセント装置。
【請求項６】
前記電気機器に対する電力供給の停止の命令を受信する給電オフ受信部、を更に有し、
前記給電開閉部は、
前記電力供給の停止の命令が受信されたとき、前記電気機器に対する電力供給を停止する、
請求項５記載のコンセント装置。
【請求項７】
前記通知制御部は、
前記識別情報を指定した前記識別情報の再送の命令を受信し、
前記サーバ通知部は、
少なくとも、前記識別情報の再送の命令が受信され、かつ、当該命令が指定する前記識別情報を示す前記命令信号が再度受信されたとき、当該識別情報を前記コンセント装置の識別情報と対応付けてサーバ装置に再度通知する、
請求項６記載のコンセント装置。
【請求項８】
電源に接続する電源接続部と、
前記電気機器にそれぞれ接続し、前記電源接続部に接続されている前記電源からの電力を前記電気機器にそれぞれ供給する、複数の機器接続部、を更に有し、
前記消費電力測定部は、前記機器接続部ごとに前記消費電力を監視する、
請求項１記載のコンセント装置。
【請求項９】
前記サーバ装置は、複数の前記コンセント装置に接続された複数の前記電気機器の消費電力を、前記電気機器の識別情報に対応付けて表示する装置である、
請求項１記載のコンセント装置。
【請求項１０】
電気機器に電力を供給するコンセント装置における情報取得方法であって、
前記電気機器の消費電力を監視するステップと、
少なくとも命令の対象の識別情報を示す命令信号を受信するステップと、
前記命令信号の受信タイミングで前記消費電力が変化したとき、当該命令信号が示す前記識別情報を、前記電気機器の識別情報として取得するステップと、を有する、
情報取得方法。
【発明の詳細な説明】
【技術分野】
【０００１】
本発明は、電気機器に電力を供給するコンセント装置および当該コンセント装置における情報取得方法に関する。
【背景技術】
【０００２】
近年、家庭やオフィスなどにおいて、家電機器、住宅設備、ビル設備などの各種電気機器（以下「電気機器」と総称する）のエネルギー管理を支援するシステムに、注目が集まっている。このようなシステム（以下「エネルギー管理システム」という）では、ＨＥＭＳ（ホームエネルギーマネジメントシステム）やスマートグリッドといったＩＴ技術が活用されつつある。これにより、エネルギー管理システムは、人に代わって電気機器の最適運転やオンオフ制御を行うことが可能となっている。更に、エネルギー管理システムは、エネルギーの使用状況のリアルタイム表示なども可能となっている。
【０００３】
このようなエネルギー管理システムを実現するには、システムを管理するサーバ装置が、どの電力供給系統にどのような電気機器が接続されているかを示す情報（以下「紐付け情報」という）を取得して保持する必要がある。紐付け情報は、例えば、どの部屋のコンセント装置に、どの電気機器が接続されているかを示す情報である。
【０００４】
そこで、例えば、特許文献１には、識別情報を割り当てた通信アダプタを各電気機器に取り付ける技術が記載されている。かかる従来技術によれば、各電気機器の識別情報と通信アダプタの識別情報との対応関係と、通信アダプタの通信ネットワーク上の位置とから、各電気機器の通信ネットワーク上の位置を特定し、紐付け情報を取得することができる。
【先行技術文献】
【特許文献】
【０００５】
【特許文献１】特開２００８−１７２５７０号公報
【発明の概要】
【発明が解決しようとする課題】
【０００６】
しかしながら、従来技術は、通信アダプタの識別情報に対応する電気機器の識別情報の設定を手動で行わなければならないという課題を有する。エネルギー管理システムの管理下となる電気機器の数が多く、更に、その変化が頻繁である場合には、手動での設定は非常に手間が掛かる。したがって、例えば、エネルギー管理システムでは、コンセント装置の識別情報と電気機器の識別情報との紐付け情報を、電気機器の識別情報に関する設定作業を行うことなく取得することができるような技術が望まれる。
【０００７】
本発明の目的は、電気機器の識別情報に関する設定作業を行うことなく、紐付け情報を取得することができる、コンセント装置および情報取得方法を提供することである。
【課題を解決するための手段】
【０００８】
本発明のコンセント装置は、電気機器に電力を供給するコンセント装置であって、前記電気機器の消費電力を監視する消費電力測定部と、少なくとも命令の対象の識別情報を示す命令信号を受信する命令受信部と、前記命令信号の受信タイミングで前記消費電力が変化したとき、当該命令信号が示す前記識別情報を、前記電気機器の識別情報として取得する通知制御部とを有する。
【０００９】
本発明の情報取得方法は、電気機器に電力を供給するコンセント装置における情報取得方法であって、前記電気機器の消費電力を監視するステップと、少なくとも命令の対象の識別情報を示す命令信号を受信するステップと、前記命令信号の受信タイミングで前記消費電力が変化したとき、当該命令信号が示す前記識別情報を、前記電気機器の識別情報として取得するステップとを有する。
【発明の効果】
【００１０】
本発明によれば、電気機器の識別情報に関する設定作業を行うことなく、紐付け情報を取得することができる。
【図面の簡単な説明】
【００１１】
【図１】本発明の実施の形態１に係るコンセント装置の構成を示すブロック図
【図２】本発明の実施の形態２に係るコンセント装置の構成の一例を示すブロック図
【図３】本発明の実施の形態２におけるコンセントＵＩＤの一例を示す図
【図４】本発明の実施の形態２に係るコンセント装置の動作の一例を示すフローチャート
【図５】本発明の実施の形態２におけるリモコン信号の内容の一例を示す図
【図６】本発明の実施の形態２における紐付け情報の内容の一例を示す図
【図７】本発明の実施の形態２におけるコンセント装置および電気機器の処理の流れの一例を示す図
【図８】本発明の実施の形態２におけるサーバ装置の動作の一例を説明するための図
【図９】本発明の実施の形態２における表示画面の遷移の一例を示す図
【図１０】本発明の実施の形態３に係るコンセント装置の構成を示すブロック図
【図１１】本発明の実施の形態３に係るコンセント装置の動作の一例を示すフローチャート
【図１２】、本発明の実施の形態３におけるコンセント装置および電気機器の処理の流れの一例を示す図
【図１３】本発明の実施の形態３における紐付け情報の内容の例を示す図
【図１４】本発明の実施の形態３におけるサーバ装置の動作の一例を説明するための図
【図１５】本発明の実施の形態３における表示画面の遷移の一例を示す図
【図１６】本発明の実施の形態３における遷移後の表示画面の他の例を示す図
【図１７】本発明の実施の形態４に係るコンセント装置の構成を示すブロック図
【図１８】本発明の実施の形態４における設定テーブルの内容の一例を示す図
【図１９】本発明の実施の形態４に係るコンセント装置の動作の一例を示すフローチャート
【図２０】本発明の実施の形態４におけるコンセント装置および電気機器の処理の流れの一例を示す図
【発明を実施するための形態】
【００１２】
以下、本発明の各実施の形態について、図面を参照して詳細に説明する。
【００１３】
（実施の形態１）
本発明の実施の形態１は、本発明の基本的態様の一例である。
【００１４】
図１は、本実施の形態に係るコンセント装置の構成を示すブロック図である。
【００１５】
図１において、コンセント装置１００は、電気機器に電力を供給する装置であり、消費電力測定部１１０、命令受信部１２０、および通知制御部１３０を有する。
【００１６】
消費電力測定部１１０は、コンセント装置１００が電力を供給する電気機器の消費電力を監視する。
【００１７】
命令受信部１２０は、少なくとも命令の対象の識別情報を示す命令信号を受信する。
【００１８】
通知制御部１３０は、命令信号の受信タイミングで消費電力が変化したとき、当該命令信号が示す識別情報（命令の対象の識別情報）を、コンセント装置１００が電力を供給する電気機器の識別情報として取得する。
【００１９】
コンセント装置１００は、例えば、プロセッサ、ＲＡＭ（random access memory）などの記憶媒体、および通信回路などを有する。この場合、上述の各機能部は、プロセッサが制御プログラムを実行することにより実現される。
【００２０】
このようなコンセント装置１００は、コンセント装置１００が電力を供給する電気機器が、命令信号に対応する応答動作を行ったとき、命令信号が示す命令の対象の識別情報を、当該電気機器の識別情報として取得することができる。すなわち、コンセント装置１００は、命令信号に対応する消費電力の変化をトリガとして、コンセント装置１００の識別情報とその電力供給先である電気機器の識別情報とを紐付けることができる。
【００２１】
これにより、コンセント装置１００は、コンセント装置１００の識別情報とその電力供給先である電気機器の識別情報との紐付け情報を、電気機器の識別情報に関する設定作業を行うことなく、取得することができる。
【００２２】
（実施の形態２）
本発明の実施の形態２は、本発明を、ＨＥＭＳのコンセント装置に適用した例である。
【００２３】
まず、本実施の形態に係るコンセント装置の構成について説明する。
【００２４】
図２は、本実施の形態に係るコンセント装置の構成の一例を示すブロック図である。なお、図２では、説明の便宜のため、周辺の機器を含むエネルギー管理システムの構成についても併せて図示する。
【００２５】
まず、エネルギー管理システムの構成について説明する。
【００２６】
図２において、エネルギー管理システム２００は、ある住宅（図示せず）に構築されたＨＥＭＳである。エネルギー管理システム２００は、分電盤３００、コンセント装置１００、リモコン装置４００、電気機器５００、およびサーバ装置６００を有する。なお、エネルギー管理システム２００は、複数のコンセント装置１００および複数の電気機器５００を有するが、ここではそれぞれ１つずつに絞って説明する。
【００２７】
分電盤３００は、系統電源（図示せず）からの電力を、分電盤３００に接続された各コンセント装置１００に分配する。
【００２８】
コンセント装置１００は、分電盤３００と電力線３１０により接続され、分電盤３００からの電力を、コンセント装置１００に接続された電気機器５００に供給する。また、コンセント装置１００は、電気機器５００の識別情報を取得する。そして、コンセント装置１００は、電気機器５００の識別情報とコンセント装置１００の識別情報とを紐付けた紐付け情報を取得し、サーバ装置６００へ送信する。
【００２９】
リモコン装置４００は、ユーザ操作を受けて、少なくとも命令の対象の識別情報を示す命令信号を送信する。リモコン装置４００は、電源オンなどの命令の対象が電気機器５００であるとき、電源オンを命令する内容のリモコン信号（以下「電源オン命令」という）を、命令信号として送信する。電源オン命令は、電源オンを示す命令ＩＤと、電気機器５００の識別情報である家電ＩＤ（以下、適宜「電気機器５００の家電ＩＤ」という）とを含む命令コードを格納したものである。
【００３０】
本実施の形態において、リモコン信号は、赤外線信号やＲＦ信号などの無線信号とする。また、リモコン信号は、例えば、家電製品協会フォーマット（家製協フォーマット）の命令コードを含み、この命令コードに、上述の命令ＩＤおよび家電ＩＤを含むものとする。
【００３１】
なお、本実施の形態において、電気機器５００は、テレビなどの家電機器であるものとする。電気機器５００は、コンセント装置１００とプラグ５１０を介して接続し、コンセント装置１００からの電力の供給を受け、動作する。電気機器５００は、命令受信部５２０および処理部５３０を有する。
【００３２】
命令受信部５２０は、受信したリモコン信号が、命令の対象として電気機器５００の家電ＩＤを含むリモコン信号であるとき、そのリモコン信号に含まれる命令ＩＤを、処理部５３０へ出力する。
【００３３】
処理部５３０は、少なくとも処理部５３０から入力された命令ＩＤが電源オンの命令に対応するものであるとき、電力消費を伴う処理を開始する。
【００３４】
なお、電気機器５００の家電ＩＤは、「カスタムコードα」であるものとする。また、電源オンの命令に対応する命令ＩＤは、「機能コードγ」であるものとする。
【００３５】
サーバ装置６００は、宅内ＬＡＮ（local area network）などのネットワーク６１０を介して、コンセント装置１００に接続し、コンセント装置１００が取得した紐付け情報を受信する。そして、サーバ装置６００は、受信した紐付け情報に基づいて、電気機器５００の最適運転やオンオフ制御、および、エネルギーの使用状況のリアルタイム表示など、所定のエネルギー管理処理を行う。なお、ネットワーク６１０は、有線の通信ネットワークでもよいし、無線の通信ネットワークでもよい。
【００３６】
次に、コンセント装置１００の構成について説明する。
【００３７】
図２において、コンセント装置１００は、電源接続部１４０、機器接続部１５０、サーバ接続部１６０、消費電力測定部１１０、命令受信部１２０、通知制御部１３０、ＩＤ格納部１７０、およびサーバ通知部１８０を有する。
【００３８】
電源接続部１４０は、電力線３１０を介して分電盤３００と接続することにより、電源に接続する。
【００３９】
機器接続部１５０は、プラグ５１０と嵌合することにより、電気機器５００に接続し、電源接続部１４０に接続されている電源からの電力を、電気機器５００に供給する。なお、コンセント装置１００は、例えば、複数の機器接続部１５０を有するが、ここでは１つに絞って説明する。
【００４０】
サーバ接続部１６０は、ネットワーク６１０に接続することにより、ネットワーク６１０を介して、サーバ装置６００に通信可能に接続する。
【００４１】
消費電力測定部１１０は、電源接続部１４０と機器接続部１５０との間に配置され、電気機器５００の消費電力を監視する。そして、消費電力測定部１１０は、監視結果を、逐次、通知制御部１３０へ出力する。なお、コンセント装置１００が複数の機器接続部１５０を有する場合、消費電力測定部１１０は、機器接続部１５０ごとに消費電力を監視するものとする。
【００４２】
命令受信部１２０は、リモコン装置４００から送信された電源オン命令を受信する。そして、命令受信部１２０は、受信した電源オン命令に含まれる命令コードを、通知制御部１３０へ出力する
【００４３】
通知制御部１３０は、命令コードが入力されると、入力される消費電力の監視結果に基づいて、電源オン命令の受信タイミングで消費電力が変化したか否かを判断する。そして、通知制御部１３０は、電源オン命令の受信タイミングで消費電力が変化したとき、当該電源オン命令の命令コードに含まれる家電ＩＤを、コンセント装置１００が電力を供給する電気機器の識別情報として取得する。
【００４４】
本実施の形態において、電気機器５００の家電ＩＤおよび電源オンの命令に対応する命令ＩＤを含む電源オン命令が受信された直後に、消費電力測定部１１０は、電気機器５００の消費電力の上昇を検出することになる。そして、この場合に、通知制御部１３０は、電源オン命令に含まれていた家電ＩＤを、コンセント装置１００に接続している電気機器（ここでは電気機器５００）の家電ＩＤとして取得することになる。以下、コンセント装置１００がコンセント装置１００に接続していると認識している電気機器の家電ＩＤは、適宜、「接続機器の家電ＩＤ」という。
【００４５】
ＩＤ格納部１７０は、各コンセント装置に割り当てられた識別情報であるコンセントＵＩＤのうち、コンセント装置１００のコンセントＵＩＤ（以下、適宜「自装置のコンセントＵＩＤ」という）を予め格納する。
【００４６】
図３は、ＩＤ格納部１７０が格納するコンセントＵＩＤ（自装置のコンセントＵＩＤ）の一例を示す図である。図３に示すように、自装置のコンセントＵＩＤ７１０は、例えば、「１２８」という数値である。
【００４７】
図２のサーバ通知部１８０は、通知制御部１３０により取得された識別情報を、コンセント装置１００の識別情報と対応付けて、サーバ装置６００に通知する。また、サーバ通知部１８０は、消費電力測定部１１０による消費電力の監視結果を、サーバ装置６００に通知する。具体的には、サーバ通知部１８０は、取得された家電ＩＤおよび保持されたコンセントＵＩＤを含む紐付け情報と、電気機器５００の消費電力データとを、サーバ接続部１６０を介してサーバ装置６００へ送信する。
【００４８】
本実施の形態において、サーバ通知部１８０は、電気機器５００の家電ＩＤおよび自装置のコンセントＵＩＤを含む紐付け情報を、サーバ装置６００へ送信することになる。
【００４９】
コンセント装置１００は、例えば、プロセッサ、ＲＡＭなどの記憶媒体、および通信回路などを有する。この場合、上述の各機能部は、プロセッサが制御プログラムを実行することにより実現される。
【００５０】
このようなコンセント装置１００は、電気機器５００が、電源オン命令に対応して消費電力が上昇したとき、電源オン命令に含まれる電気機器５００の家電ＩＤを、接続機器の家電ＩＤとして取得することができる。すなわち、コンセント装置１００は、電源オン命令が示す家電ＩＤと、応答動作に伴う消費電力の変動とに基づいて、自装置のコンセントＵＩＤと電気機器５００の接続機器の家電ＩＤとの紐付け情報を取得することができる。これにより、コンセント装置１００は、自装置のコンセントＵＩＤと接続機器の家電ＩＤとの紐付け情報を、かかる接続機器の家電ＩＤに関する設定作業を行うことなく、取得することができる。
【００５１】
また、このようなコンセント装置１００は、取得した紐付け情報および消費電力の測定結果をサーバ装置６００へ送信するので、サーバ装置６００で所定のエネルギー管理処理を行うことを可能にする。
【００５２】
以上で、コンセント装置１００の構成についての説明を終える。
【００５３】
次に、コンセント装置１００の動作について説明する。
【００５４】
図４は、コンセント装置１００の動作の一例を示すフローチャートである。
【００５５】
まず、ステップＳ１０１０において、命令受信部１２０は、電源オン命令を受信したか否かを判断する。具体的には、通知制御部１３０は、受信したリモコン信号の命令コードから命令ＩＤを抽出し、それが電源オンの命令を示すか否かを判断する。命令受信部１２０は、電源オン命令を受信していない場合（Ｓ１０１０：ＮＯ）、後述のステップＳ１０２０へ進む。また、命令受信部１２０は、電源オン命令を受信した場合（Ｓ１０１０：ＹＥＳ）、その命令コードを通知制御部１３０へ出力して、ステップＳ１０３０へ進む。
【００５６】
図５は、リモコン信号の内容の一例を示す図である。図５では、電気機器５００の電源をオンにする操作に対応して送信されるリモコン信号の例を図示する。
【００５７】
図５に示すように、リモコン信号７２０は、命令コード７２１を少なくとも含む。この命令コード７２１は、家電ＩＤ７２２および命令ＩＤ７２３を少なくとも含む。家電ＩＤ７２２は、命令の対象の家電機器の家電ＩＤである。図５において、家電ＩＤ７２２は、電気機器５００の家電ＩＤである「カスタムコードα」となり、命令ＩＤは電源オンの命令ＩＤである「機能コードγ」となる。
【００５８】
図４のステップＳ１０２０において、通知制御部１３０は、消費電力の測定結果を送信するタイミング（以下「送信タイミング」という）が到来したか否かを判断する。送信タイミングは、例えば、後述の家電ＩＤが保持されている状態において、１分ごとなどの所定の周期的なタイミングである。通知制御部１３０は、送信タイミングが到来した場合（Ｓ１０２０：ＹＥＳ）、ステップＳ１０７０へ進む。また、通知制御部１３０は、送信タイミングが到来していない場合（Ｓ１０２０：ＮＯ）、ステップＳ１０４０へ進む。
【００５９】
ステップＳ１０３０において、通知制御部１３０は、受信された電源オン命令の命令コード（家電ＩＤ）を保持する。
【００６０】
そして、ステップＳ１０５０において、通知制御部１３０は、消費電力の測定結果に基づき、所定の時間内に消費電力の上昇があったか否かを判断する。ここで、消費電力の上昇とは、例えば、電気機器５００の待機時の消費電力から電気機器５００の動作時の消費電力まで上がることを指し、例えば、設定された幅以上の消費電力の上昇をいう。また、所定の時間は、電気機器５００が電源オン命令を受信してから動作状態となるまでの時間よりも長く、かつ、比較的短い時間である。通知制御部１３０は、所定の時間内に消費電力の上昇があった場合（Ｓ１０５０：ＹＥＳ）、ステップＳ１０２０へ進む。また、通知制御部１３０は、所定の時間内に消費電力の上昇がなかった場合（Ｓ１０５０：ＮＯ）、後述のステップＳ１０６０へ進む。
【００６１】
ステップＳ１０６０において、通知制御部１３０は、保持した命令コード（家電ＩＤ）を破棄（初期化）して、ステップＳ１０２０へ進む。
【００６２】
すなわち、Ｓ１０２０に進む時点において、通知制御部１３０は、電源オン命令が受信されてから所定の時間内に消費電力の上昇があった場合（Ｓ１０５０：ＹＥＳ）、その電源オン命令に含まれていた家電ＩＤを保持している状態となる。または、通知制御部１３０は、電源オン命令が受信されていないが、一旦保持された家電ＩＤが破棄されなかった場合も、当該家電ＩＤを保持している状態となる。
【００６３】
なお、コンセント装置１００が複数の機器接続部１５０を有する場合、通知制御部１３０は、機器接続部１５０ごとに消費電力の上昇の判定および命令コード（家電ＩＤ）の保持を行うものとする。
【００６４】
ステップＳ１０７０において、通知制御部１３０は、保持した家電ＩＤ（ステップＳ１０６０で破棄した場合は「接続無し」を示す初期化された家電ＩＤ）とサーバ装置６００に未送信の消費電力測定結果とを、サーバ通知部１８０へ出力する。これを受けて、サーバ通知部１８０は、入力された家電ＩＤと自装置のコンセントＵＩＤとを対応付けた紐付け情報と、消費電力測定結果とを、サーバ装置６００へ送信する。そして、通知制御部１３０は、ステップＳ１０４０へ進む。
【００６５】
そして、ステップＳ１０４０において、通知制御部１３０は、ユーザ操作などにより処理の終了を指示されたか否かを判断する。通知制御部１３０は、処理の終了が指示されていない場合（Ｓ１０４０：ＮＯ）、ステップＳ１０１０へ戻る。また、通知制御部１３０は、処理の終了を指示された場合（Ｓ１０４０：ＹＥＳ）、一連の処理を終了する。
【００６６】
図６は、紐付け情報の内容の一例を示す図である。
【００６７】
図６に示すように、紐付け情報７３０は、コンセントＵＩＤ７３１および家電ＩＤ７３２を少なくとも含む。本実施の形態においては、コンセントＵＩＤ７３１は、「１２８」となり、家電ＩＤ７３２は、「カスタムコードα」となる。
【００６８】
なお、コンセント装置１００が複数の機器接続部１５０を有する場合には、サーバ通知部１８０は、機器接続部１５０ごとに紐付け情報７３０を生成して送信するものとする。
【００６９】
このような動作により、コンセント装置１００は、電気機器５００の家電ＩＤを取得し、消費電力の測定結果と共に、電気機器５００の家電ＩＤと自装置のコンセントＵＩＤとを含む紐付け情報を、サーバ装置６００へ送信することができる。
【００７０】
以上で、コンセント装置１００の動作についての説明を終える。
【００７１】
次に、コンセント装置１００および電気機器５００の全体動作について説明する。
【００７２】
図７は、コンセント装置１００および電気機器５００の処理の流れの一例を示す図である。ここでは、電気機器５００は、初期状態において、処理部５３０が動作しておらず、命令受信部５２０が動作している、「待機状態」にあるものとする。
【００７３】
まず、リモコン装置４００は、ユーザの電源オンボタンの操作により、電源オン命令を送信する。すると、コンセント装置１００の命令受信部１２０および電気機器５００の命令受信部５２０は、それぞれ、この電源オン命令を受信する（Ｓ２０１０、Ｓ２１１０）。コンセント装置１００の通知制御部１３０は、電源オン命令の命令コードを保持する（Ｓ２０２０）。
【００７４】
一方、電気機器５００の命令受信部５２０は、受信した電源オン命令の対象に電気機器５００が該当するか否かを判断する（Ｓ２１２０）。すなわち、命令受信部５２０は、受信した電源オン命令に含まれる家電ＩＤが、電気機器５００の家電ＩＤであるか否かを判断する。命令受信部５２０は、電源オン命令の対象に電気機器５００が該当する場合（Ｓ２１２０：ＹＥＳ）、電気機器５００の処理部５３０を待機状態から動作状態へと移行させる（Ｓ２１３０）。その結果、上述の消費電力の上昇が、発生する。また、命令受信部５２０は、電源オン命令の対象に電気機器５００が該当しない場合（Ｓ２１２０：ＮＯ）、電源オン命令を無視する（Ｓ２１４０）。その結果、消費電力の上昇は、発生しない。
【００７５】
そこで、コンセント装置１００の通知制御部１３０は、消費電力の上昇があったか否かを判断し（Ｓ２０３０）、消費電力の上昇があった場合（Ｓ２０３０：ＹＥＳ）、家電ＩＤをそのまま保持する。この結果、コンセント装置１００のサーバ通知部１８０は、サーバ装置６００に紐付け情報（図６参照）を通知する（Ｓ２０４０）。また、通知制御部１３０は、消費電力の上昇がなかった場合（Ｓ２０３０：ＮＯ）、保持した家電ＩＤを含む命令コードを破棄、つまり初期化する（Ｓ２０５０）。この結果、サーバ通知部１８０は、紐付け情報の通知を行わない。
【００７６】
このように、コンセント装置１００は、リモコン信号による電気機器５００の動作を利用して、自装置のコンセントＵＩＤと電気機器５００の家電ＩＤとの紐付け情報を取得し、サーバ装置６００へ送信することができる。
【００７７】
以上で、コンセント装置１００および電気機器５００の全体動作についての説明を終える。
【００７８】
次に、サーバ装置６００の動作について説明する。
【００７９】
図８は、サーバ装置６００の動作の一例を説明するための図である。
【００８０】
サーバ装置６００は、コンセントデータベース（ＤＢ）６２０と、家電管理データベース（ＤＢ）６３０とを予め格納しているものとする。
【００８１】
コンセントデータベース６２０は、各コンセント装置１００のコンセント名とコンセントＵＩＤとを対応付けて記述するデータベースである。コンセント名は、例えば、エネルギー管理システム２００が構築された住宅の部屋の名称を含む。
【００８２】
家電管理データベース６３０は、コンセント名ごとに、そのコンセント名が示すコンセント装置１００に接続された電気機器５００の家電情報（メーカ名および家電種別など）を、管理するデータベースである。
【００８３】
サーバ装置６００は、例えば、図６に示す紐付け情報を受信すると（Ｓ４０１０）、その紐付け情報から、「１２８」というコンセントＵＩＤを抽出する。そして、サーバ装置６００は、抽出したコンセントＵＩＤをコンセントＤＢ６２０で検索し、対応するコンセント名を取得する（Ｓ４０２０）。
【００８４】
ここでは、図８に示すように、コンセントＤＢ６２０において、「寝室：Ｃ」というコンセント名と、「１２８」というコンセントＵＩＤとが対応付けられているものとする。この場合、サーバ装置６００は、「寝室：Ｃ」というコンセント名を取得する。
【００８５】
また、サーバ装置６００は、紐付け情報から「カスタムコードα」という家電ＩＤを抽出し、この家電ＩＤから家電情報として、ベンダ名および機器種別を抽出する（Ｓ４０３０）。サーバ装置６００は、例えば、家電ＩＤとベンダ名および機器種別とを一意に対応付けて記述するコード表を予め格納しており、このコード表に基づいて、ベンダ名および機器種別の抽出を行う。ここでは、「Ｐ社」というベンダ名と、「テレビ」という機器種別が抽出されたものとする。
【００８６】
そして、サーバ装置６００は、取得したコンセント名と、抽出した家電情報との組を、家電管理ＤＢ６３０に登録する（Ｓ４０４０）。
【００８７】
ここでは、図８に示すように、「寝室：Ｃ」というコンセント名に対応付けて、「Ｐ社テレビ」という家電情報が、家電管理ＤＢ６３０に登録されることになる。
【００８８】
そして、サーバ装置６００は、最新の家電管理ＤＢ６３０の状態に基づいて、例えば、部屋ごとに、各電気機器５００の消費電力を一覧表示する表示画面を生成し、ユーザに提示する。いずれかのコンセント装置１００で新たな家電ＩＤが取得された場合、家電管理ＤＢ６３０は更新され、表示画面の内容も更新される。
【００８９】
図９は、サーバ装置６００における表示画面の遷移の一例を示す図である。
【００９０】
図９に示すように、表示画面７４０は、「寝室」という部屋名７４１、「寝室」のコンセント装置１００に接続された電気機器５００の家電情報７４２、消費電力測定結果７４３、および電源オフ操作ボタン７４４を表示する。表示画面７４０は、例えば、液晶タッチパネルである。
【００９１】
初期状態の表示画面７４０−１は、図９に示すように、「エアコン」と「電灯」の情報のみを表示していたとする。
【００９２】
この状態で、図８で説明した動作が行われた後の表示画面７４０−２は、図９に示すように、更に「Ｐ社テレビ」の情報が追加された状態となる。
【００９３】
このように、エネルギー管理システム２００は、各部屋名と電気機器５００に関する情報とを対応付けた情報を、電気機器５００の識別情報に関する設定作業を行うことなく、ユーザに提示することができる。これにより、ユーザは、新たに接続された電気機器５００の消費電力を、簡単に確認することができる。
【００９４】
なお、サーバ装置６００は、電源オフ操作ボタン７４４が操作されたとき、対応する電気機器５００への給電を停止する。電気機器５００への給電停止は、例えば、サーバ装置６００と分電盤３００とを連携させ、かつ、分電盤３００と各コンセント装置１００とをコンセント装置１００ごとに１本ずつの電力線３１０で連結することにより、可能である。
【００９５】
以上で、サーバ装置６００の動作についての説明を終える。
【００９６】
以上のように、本実施の形態に係るコンセント装置１００は、電気機器５００が、電源オン命令に対応して消費電力が上昇したとき、電源オン命令に含まれる電気機器５００の家電ＩＤを、接続機器の家電ＩＤとして取得することができる。これにより、コンセント装置１００は、自装置のコンセントＵＩＤと接続機器の家電ＩＤとの紐付け情報を、かかる接続機器の家電ＩＤに関する設定作業を行うことなく、取得することができる。
【００９７】
また、このようなコンセント装置１００は、取得した紐付け情報および消費電力の測定結果をサーバ装置６００へ送信するので、サーバ装置６００で所定のエネルギー管理処理を行うことを可能にする。例えば、コンセント装置１００は、各部屋のコンセント装置１００に接続された家電機器の識別を、自動化することができる。
【００９８】
また、このようなコンセント装置１００を配置したエネルギー管理システム２００において、サーバ装置６００は、紐付け情報に基づいて家電管理データベースを更新し、これに基づいて画面表示を行うことができる。これにより、エネルギー管理システム２００は、情報端末などによる家電種別の手動入力といった家電ＩＤに関する設定作業の負担を、ユーザに掛けることなく、エネルギー管理を支援することができる。
【００９９】
なお、コンセント装置１００のサーバ通知部１８０は、紐付け情報を、電源オン命令で消費電力の上昇があったことが検出される度にではなく、初回の検出のとき（初回通電時）にのみ、サーバ装置６００に送信するようにしてもよい。この場合、例えば、サーバ通知部１８０は、家電ＩＤごとに、紐付け情報を送信したか否かを示すフラグを管理すればよい。
【０１００】
また、コンセント装置１００の通知制御部１３０は、消費電力がゼロであることを、電源オン命令のタイミングで検出した場合、該当する電気機器５００がコンセント装置１００から外されたことを、サーバ装置６００に通知してもよい。
【０１０１】
（実施の形態３）
本発明の実施の形態３は、複数の電気機器間の連動など、電源オン命令の対象以外の電気機器の消費電力も上昇し得る場合を考慮した例である。
【０１０２】
図１０は、本実施の形態に係るコンセント装置の構成を示すブロック図であり、実施の形態２の図２に対応するものである。図２と同一部分には、同一符号を付し、これについての説明を省略する。
【０１０３】
図１０に示すように、本実施の形態におけるエネルギー管理システム２００ａは、第１および第２のコンセント装置１００ａ−１、１００ａ−２を有する。そして、第１のコンセント装置１００ａ−１には、テレビである第１の電気機器５００ａ−１が接続されている。また、第２のコンセント装置１００ａ−２には、ＤＶＤプレーヤである第２の電気機器５００ａ−２が接続されている。
【０１０４】
第１および第２のコンセント装置１００ａ−１、１００ａ−２は、同一の構成を有しているため、第２のコンセント装置１００ａ−２の詳細な構成についての図示および説明を省略する。以下、適宜、第１および第２のコンセント装置１００ａ−１、１００ａ−２を、「コンセント装置１００ａ」として、まとめて説明する。
【０１０５】
ただし、第２のコンセント装置１００ａ−１には、第１のコンセント装置１００ａ−１のコンセントＵＩＤとは異なるコンセントＵＩＤが割り当てられている。ここでは、第１のコンセント装置１００ａ−１のコンセントＵＩＤ（以下、適宜「第１のコンセントＵＩＤ」という）は、「１２８」とする。そして、第２のコンセント装置１００ａ−２のコンセントＵＩＤ（以下、適宜「第２のコンセントＵＩＤ」という）は、「１２９」とする。
【０１０６】
また、第１および第２の電気機器５００ａ−１、５００ａ−２は、説明の便宜のため、同一の構成を有しているものとする。なお、第２の電気機器５００ａ−２の詳細な構成についての図示および説明は、省略する。
【０１０７】
ただし、第２の電気機器５００ａ−２には、第１の電気機器５００ａ−１の家電ＩＤとは異なる家電ＩＤが割り当てられている。ここでは、第１の電気機器５００ａ−１の家電ＩＤ（以下、適宜「第１の家電ＩＤ」という）は、「カスタムコードα」とする。そして、第２の電気機器５００ａ−２の家電ＩＤ（以下、適宜「第２の家電ＩＤ」という）は、「カスタムコードβ」とする。
【０１０８】
また、リモコン装置４００は、第１の電気機器５００ａ−１用の装置である。したがって、リモコン装置４００から電源オン命令が送信されたとき、テレビである第１の電気機器５００ａ−１は、その電源オン命令を受理する。しかし、ＤＶＤプレーヤである第２の電気機器５００ａ−２は、その電源オン命令を受理しない。ここで、命令の受理とは、命令受信部５２０ａが、受信した電源オン命令に含まれていた命令ＩＤを、処理部５３０へ出力することをいうものとする。
【０１０９】
また、第１の電気機器５００ａ−１と第２の電気機器５００ａ−２とは、ケーブル５４０ａにより互いに連結されており、双方向通信が可能となっている。そして、ＤＶＤプレーヤである第２の電気機器５００ａ−２は、このケーブル５４０ａを介した通信により、テレビである第１の電気機器５００ａ−１が動作状態となったとき、連動して動作状態（電源オンの状態）に移行するようになる。
【０１１０】
したがって、本実施の形態おいて、第２の電気機器５００ａ−２では、電源オン命令に含まれる命令コードの家電ＩＤが自装置のものでないにもかかわらず、消費電力の上昇が発生することがある。
【０１１１】
そこで、本実施の形態に係るコンセント装置１００ａは、実施の形態２とは異なる通知制御部１３０ａを有する。
【０１１２】
通知制御部１３０ａは、実施の形態２の通知制御部１３０と同様の処理を行う。しかし、基本的に、１度サーバ装置６００ａに送信した紐付け情報は、サーバ装置６００ａへの送信を行わない。通知制御部１３０ａは、サーバ装置６００ａから、紐付け情報の再送依頼が送られてきたとき、サーバ接続部１６０を介してこれを受信する。そして、この場合、通知制御部１３０ａは、その後に電源オン命令の受信に対応した消費電力の上昇が発生したときに、紐付け情報をサーバ装置６００ａへ再送する。
【０１１３】
また、実施の形態におけるサーバ装置６００ａは、複数の電気機器５００ａ（ここでは第１の電気機器５００ａ−１および第２の電気機器５００ａ−２）から、同一の家電ＩＤを含む紐付け情報を受信する。このとき、サーバ装置６００ａは、それらの電気機器５００ａに対して、上述の再送依頼を送信する。
【０１１４】
すなわち、エネルギー管理システム２００ａは、複数のコンセント装置１００ａ間で取得された紐付け情報が重複しているとき、紐付け情報の送信を継続さることにより、紐付け情報の精度の向上を図る。
【０１１５】
図１１は、コンセント装置１００ａの動作の一例を示すフローチャートであり、実施の形態２の図４に対応するものである。図４と同一部分には、同一ステップ番号を付し、これについての説明を省略する。
【０１１６】
本実施の形態において、通知制御部１３０ａは、送信タイミングが到来していない場合（Ｓ１０２０：ＮＯ）、ステップＳ１０６１ａへ進む。また、通知制御部１３０ａは、送信タイミングが到来した場合（Ｓ１０２０：ＹＥＳ）、ステップＳ１０６２ａへ進む。
【０１１７】
ステップＳ１０６２ａにおいて、通知制御部１３０ａは、保持している家電ＩＤが、サーバ装置６００ａに送信済みであるか否かを判断する。通知制御部１３０ａは、家電ＩＤが送信済みではない場合（Ｓ１０６２ａ：ＮＯ）、ステップＳ１０７０へ進む。また、通知制御部１３０ａは、家電ＩＤが送信済みである場合（Ｓ１０６２ａ：ＹＥＳ）、ステップＳ１０６３ａへ進む。
【０１１８】
ステップＳ１０６３ａにおいて、通知制御部１３０ａは、再送依頼の記録があるか否かを判断する。この記録については後述する。通知制御部１３０ａは、再送依頼の記録がある場合（Ｓ１０６３ａ：ＹＥＳ）、ステップＳ１０６４ａへ進む。また、通知制御部１３０ａは、再送依頼の記録がない場合（Ｓ１０６３ａ：ＮＯ）、ステップＳ１０７１ａへ進む。
【０１１９】
ステップＳ１０６４ａにおいて、通知制御部１３０ａは、再送依頼の記録を破棄して、ステップＳ１０７０へ進む。
【０１２０】
また、ステップＳ１０７１ａにおいて、通知制御部１３０ａは、サーバ装置６００に未送信の消費電力測定結果を、サーバ通知部１８０へ出力する。これを受けて、サーバ通知部１８０は、自装置のコンセントＵＩＤと、消費電力測定結果とを、サーバ装置６００へ送信する。そして、通知制御部１３０ａは、ステップＳ１０６１ａへ進む。
【０１２１】
ステップＳ１０６１ａにおいて、通知制御部１３０ａは、サーバ装置６００ａから再送依頼を受信したか否かを判断する。通知制御部１３０ａは、再送依頼を受信していない場合（１０６１ａ：ＮＯ）、ステップＳ１０４０へ進む。また、通知制御部１３０ａは、再送依頼を受信した場合（１０６１ａ：ＹＥＳ）、ステップＳ１０７３ａへ進む。
【０１２２】
ステップＳ１０７３ａにおいて、通知制御部１３０ａは、サーバ装置６００ａから再送依頼を受信したことを、内部的に記録する。再送依頼の受信有無の記録は、上述のステップＳ１０６３ａで判断の対象となる。
【０１２３】
このような動作により、コンセント装置１００ａは、再送依頼がない場合、紐付け情報の重複送信を行わず、再送依頼があった場合、紐付け情報を再送する。
【０１２４】
図１２は、第１および第２のコンセント装置１００ａ−１、１００ａ−２、並びに第１および第２の電気機器５００ａ-１、５００ａ−２の処理の流れの一例を示す図であり、実施の形態２の図７に対応するものである。図７と同一部分には、同一符号を付し、これについての説明を省略する。
【０１２５】
テレビである第１の電気機器５００ａ−１の命令受信部５２０ａは、電源オン命令の対象に第１の電気機器５００ａ−１が該当する場合（Ｓ２１２０：ＹＥＳ）、連動して電源オンにする他の電気機器が存在するかを判定する（Ｓ２１２１ａ）。そして、第１の電気機器５００ａ−１の命令受信部５２０ａは、該当する電気機器が存在する場合（Ｓ２１２１ａ：ＹＥＳ）、ケーブル５４０ａを介して、該当する電気機器に対して連動電源オンの指示を行う（Ｓ２１２２ａ）。ここでは、第２の電気機器５００ａ−２に対して、連動電源オンの指示が行われることになる。
【０１２６】
一方、ＤＶＤプレーヤである第２の電気機器５００ａ−２の命令受信部５２０ａは、受信した電源オン命令の対象に第２の電気機器５００ａ−２が該当しない場合（Ｓ２１２０：ＮＯ）、ステップＳ２１２３ａへ進む。そして、命令受信部５２０ａは、連動電源オンの指示を、他の電気機器から受けたか否かを判定する（Ｓ２１２３ａ）。ここでは、第１の電気機器５００ａ−１から連動電源オンの指示を受けたか否かが判断されることになる。第２の電気機器５００ａ−２の命令受信部５２０ａは、連動電源オンの指示を受けた場合（Ｓ２１２３ａ：ＹＥＳ）、待機状態から動作状態へと移行する（Ｓ２１３０）。
【０１２７】
すなわち、第２の電気機器５００ａ−２は、自装置宛ではない電源オン命令を無視するが、第１の電気機器５００ａ−１に連動して動作状態に移行する。この場合、サーバ装置６００ａは、第１および第２のコンセント装置１００ａ−１、１００ａ−２のそれぞれから、第１の電気機器５００ａ−１の家電ＩＤ「カスタムコードα」を受け取ることになる。すなわち、サーバ装置６００ａは、図１３に示すように、「１２８」と「カスタムコードα」とを含む第１の紐付け情報７３０−１と、「１２９」と「カスタムコードα」とを含む第２の紐付け情報７３０−２とを受信する。
【０１２８】
図１４は、サーバ装置６００ａの動作の一例を説明するための図であり、実施の形態２の図８に対応するものである。図８と同一部分には、同一符号および同一ステップ番号を付し、これについての説明を省略する。
【０１２９】
サーバ装置６００ａは、上述の第１および第２の紐付け情報７３０−１、７３０−２（図１３参照）を受信すると、「１２８」および「１２９」のコンセントＵＩＤをコンセントＤＢ６２０で検索する。そして、サーバ装置６００ａは、図１４に示すように、「寝室：Ｃ」および「寝室：Ｄ」というコンセント名を取得する（Ｓ４０２０ａ）。その結果、サーバ装置６００ａは、「寝室：Ｃ」というコンセント名および「寝室：Ｄ」というコンセント名の両方に対応付けて、「Ｐ社テレビ」という家電情報を、家電管理ＤＢ６３０に登録することになる。
【０１３０】
サーバ装置６００ａは、このような重複登録がされた場合、紐付け情報の再送依頼を、第１および第２のコンセント装置１００ａ−１、１００ａ−２の両方に対して送信する（Ｓ４０５０ａ）。
【０１３１】
そして、例えば、第２の電気機器５００ａ−２のリモコン装置の電源オン操作により、第２の電気機器５００ａ−２は、動作状態になったとする。この場合、第２のコンセント装置１００ａ−２は、「１２９」というコンセントＵＩＤと「カスタムコードβ」という家電ＩＤを含む紐付け情報を送信することになる。したがって、サーバ装置６００ａは、図１４に示すように、家電管理データベース６３０ａの、「寝室：Ｄ」というコンセント名に対応する家電情報を、「Ｐ社テレビ」から例えば「Ｐ社ＤＶＤプレーヤ」に修正する（Ｓ４０６０ａ）。
【０１３２】
図１５は、サーバ装置６００ａにおける表示画面の遷移の一例を示す図であり、実施の形態２の図９に対応するものである。図９と同一部分には、同一符号を付し、これについての説明を省略する。
【０１３３】
図１４で説明した動作において、再送依頼に対する紐付け情報の受信が行われる前の表示画面７４０ａ−２は、図１５に示すように、更に「Ｐ社テレビ」に対応して、「６０Ｗ」と「３２Ｗ」という２つの消費電力測定結果７４３を表示する。
【０１３４】
そして、再送依頼に対する紐付け情報の受信が行われた後の表示画面７４０ａ−３は、図１５に示すように、「３２Ｗ」という消費電力測定結果７４３に対応付けて「Ｐ社ＤＶＤプレーヤ」という家電情報７４２を表示する。また、この表示画面７４０ａ−３は、「Ｐ社テレビ」および「Ｐ社ＤＶＤプレーヤ」のそれぞれに分けて、電源オフ操作ボタン７４４を表示している。なお、再送依頼に対する受信後の表示画面７４０ａ−３は、図１６に示すように、「Ｐ社テレビ」と「Ｐ社ＤＶＤプレーヤ」とをまとめて、共通の電源オフ操作ボタン７４４を表示してもよい。また、再送依頼に対する受信後の表示画面７４０ａ−３は、「Ｐ社テレビ」と「Ｐ社ＤＶＤプレーヤ」とが連動してない場合、図１５に示すように、操作ボタン７４４を分けて表示してもよい。
【０１３５】
このように、実施の形態３に係るコンセント装置１００ａは、サーバ装置６００ａからの再送依頼がない場合、紐付け情報の重複送信を行わず、サーバ装置６００ａからの再送依頼があった場合、紐付け情報を再送するようにすることができる。これにより、本実施形態は、コンセント装置１００ａや無線命令を中継する機器などにおける、通信に伴う消費電力を削減できる。
【０１３６】
（実施の形態４）
本発明の実施の形態４は、コンセント装置が、電気機器への給電オンオフを切り替え、非給電時には代理で電源オン命令を受信するようにした例である。
【０１３７】
図１７は、本実施の形態に係るコンセント装置の構成を示すブロック図であり、実施の形態２の図２に対応するものである。図２と同一部分には、同一符号を付し、これについての説明を省略する。
【０１３８】
図１７に示すように、本実施の形態におけるエネルギー管理システム２００ｂは、実施の形態２とは異なるコンセント装置１００ｂおよびサーバ装置６００ｂを有する。
【０１３９】
サーバ装置６００ｂは、例えば、表示画面７４０の電源オフ操作ボタン７４４（図９参照）の操作などをトリガとして、接続機器への給電オフの命令を示す信号（以下「給電オフ命令」という）を、コンセント装置１００ｂへ送信する。トリガとしては、他に、別のコンセント装置１００ｂで電気機器５００が発見されており、当該電気機器５００が捜索対象外となった場合も考えられる。
【０１４０】
コンセント装置１００ｂは、図１７に示すように、図２の構成に加えて、給電オフ受信部１８５ｂ、給電開閉部１９０ｂ、および命令送信部１９５ｂを有する。また、実施の形態２とは異なる命令受信部１２０ｂおよび通知制御部１３０ｂを有する。
【０１４１】
なお、消費電力測定部１１０、通知制御部１３０ｂ、サーバ通知部１８０、命令送信部１９５ｂ、および給電オフ受信部１８５ｂは、後述の給電開閉部１９０ｂよりも下流の電力線に接続され、この電力線からの給電により動作するものとする。
【０１４２】
給電オフ受信部１８５ｂは、サーバ装置６００ｂから送られてきた給電オフ命令を受信し、その旨を給電開閉部１９０ｂへ通知する。
【０１４３】
命令受信部１２０ｂは、図２の命令受信部１２０と同様の処理に加えて、電源オン命令を受信したとき、その旨を、給電開閉部１９０ｂへ通知する処理を行う。
【０１４４】
給電開閉部１９０ｂは、給電オフ命令が受信されたとき、つまり、給電オフ受信部１８５ｂから通知を受けたとき、電気機器５００に対する電力供給を停止する。すなわち、給電開閉部１９０ｂは、給電オフ命令が受信されたとき、電源接続部１４０と機器接続部１５０との接続を遮断する。
【０１４５】
また、給電開閉部１９０ｂは、電源オン命令が受信されたとき、つまり、命令受信部１２０ｂから通知を受けたとき、電気機器５００に対する電力供給の停止を解除する。すなわち、給電開閉部１９０ｂは、電源オン命令が受信されたとき、電源接続部１４０と機器接続部１５０との間を接続する。
【０１４６】
命令送信部１９５ｂは、自身への電力供給の開始後に、命令受信部１２０により受信された電源オン命令に含まれていた命令コードを含むリモコン信号（電源オン命令）を、送信する。なお、この送信タイミングおよび命令コードは、同じく自身への電力供給の開始後に起動する後段の通知制御部１３０ｂにより、制御される。
【０１４７】
通知制御部１３０ｂは、給電開閉部１９０ｂが電源接続部１４０と機器接続部１５０との間を接続し、給電を受けて起動する。そして、通知制御部１３０ｂは、まず、第１の測定時間内に、電気機器５００の消費電力の上昇が、第１の上昇電力量を超えたか否かを判断する。第１の上昇電力量は、例えば、一般的な電気機器の待機電力の最大値である。そして、通知制御部１３０ｂは、自身への電力供給の開始後、電気機器５００にかかる消費電力が、後述の図１８に示された設定テーブルに格納された待機電力における上昇電力量０.１Ｗを超え、かつ測定時間１秒を経過したかを判定する。そして、通知制御部１３０ｂは、判定の条件を満たした場合、命令受信部１２０ｂから命令コードを取得し、命令送信部１９５ｂへ転送する。そして、通知制御部１３０ｂは、命令コードを含むリモコン信号（電源オン命令）を、電気機器５００の命令受信部５２０へ送信させる。
【０１４８】
更に、通知制御部１３０ｂは、命令送信部１９５ｂによる電源オン命令の送信の直後に、電気機器５００の消費電力が、第２の測定時間内に、電気機器５００の消費電力の上昇が、第２の上昇電力量を超えたか否かを判断する。第２の上昇電力量は、例えば、一般的な電気機器の、動作時電力の最小値から、待機電力の最大値を差し引いた値である。通知制御部１３０ｂは、かかる消費電力があったとき、当該電源オン命令に含まれていた家電ＩＤを、電気機器５００の識別情報として取得する。
【０１４９】
通知制御部１３０ｂは、第１の測定時間および第１の上昇電力量を、待機電力レベルの判断基準として予め格納する。そして、通知制御部１３０ｂは、第２の測定時間および第２の上昇電力量を、動作電力レベルの判断基準として記述した設定テーブルを、予め格納する。
【０１５０】
図１８は、設定テーブルの内容の一例を示す図である。
【０１５１】
図１８に示すように、設定テーブル７５０は、待機電力レベルの測定時間７５１および上昇電力量７５２として、「１秒」、「０.１Ｗ」をそれぞれ記述する。また、設定テーブル７５０は、動作電力レベルの測定時間７５１および上昇電力量７５２として、「２秒」、「１０Ｗ」をそれぞれ記述する。
【０１５２】
このようなコンセント装置１００ｂは、サーバ装置６００ｂからの命令に従い、電気機器５００への給電を停止し、その待機電力による電力消費を削減することができる。また、コンセント装置１００ｂは、給電をオフにしている間、電気機器５００に対する電源オン命令の受信を代行することができる。
【０１５３】
コンセント装置１００ｂは、かかる電源オン命令を受信したとき、給電の停止を解除し、待機電力を供給してから、同じ内容のリモコン装置を送信することができる。そして、コンセント装置１００ｂは、リモコン装置の送信直後に消費電力の上昇が発生した場合には、受信した電源オン命令に含まれていた家電ＩＤを、電気機器５００の家電ＩＤとして取得する。
【０１５４】
これにより、コンセント装置１００ｂは、特に、複数の電気機器が存在する場合に、電気機器５００ではない電気機器は、再度の給電停止も可能となり、待機電力を削減することができる。
【０１５５】
また、コンセント装置１００ｂは、消費電力測定部１１０などの装置部を、不要なときには動作させないようにすることができ、コンセント装置１００ｂ自身の消費電力を削減することができる。
【０１５６】
図１９は、コンセント装置１００ｂの動作の一例を示すフローチャートであり、実施の形態２の図４に対応するものである。図４と同一部分には、同一ステップ番号を付し、これについての説明を省略する。
【０１５７】
本実施の形態のステップＳ１０３０ｂにおいて、電源オン命令の命令コード（家電ＩＤ）は、命令受信部１２０ｂにより保持されるものとする。
【０１５８】
そして、ステップＳ１０３１ｂにおいて、給電開閉部１９０ｂは、給電をオンにする。これにより、消費電力測定部１１０、通知制御部１３０ｂ、サーバ通知部１８０、命令送信部１９５ｂ、および給電オフ受信部１８５ｂは動作を開始する。そして、電気機器５００は、待機状態に移行し、電源オン命令を受信可能な状態となる。
【０１５９】
そして、ステップＳ１０３２ｂにおいて、通知制御部１３０ｂは、消費電力が待機電力レベルとなったか否かを判断する。すなわち、通知制御部１３０ｂは、第１の測定時間内に、電気機器５００の消費電力の上昇が、第１の上昇電力量を超えたか否かを判断する。通知制御部１３０ｂは、消費電力が待機電力レベルとなった場合（Ｓ１０３２ｂ：ＹＥＳ）、ステップＳ１０３３ｂへ進む。また、通知制御部１３０ｂは、消費電力が待機電力レベルとなっていない場合（Ｓ１０３２ｂ：ＮＯ）、ステップＳ１０６０へ進む。
【０１６０】
ステップＳ１０３３ｂにおいて、通知制御部１３０ｂは、命令送信部１９５ｂから、受信した電源オン命令を送信する。
【０１６１】
そして、ステップＳ１０５０ｂにおいて、通知制御部１３０ｂは、消費電力が動作電力レベルとなったか否かを判断する。すなわち、通知制御部１３０ｂは、第２の測定時間内に、電気機器５００の消費電力の上昇が、第２の上昇電力量を超えたか否かを判断する。通知制御部１３０ｂは、消費電力が動作電力レベルとなった場合（Ｓ１０５０ｂ：ＹＥＳ）、ステップＳ１０２０へ進む。また、通知制御部１３０ｂは、消費電力が動作電力レベルとなっていない場合（Ｓ１０５０ｂ：ＮＯ）、ステップＳ１０６０へ進む。
【０１６２】
また、ステップＳ１０７１ｂにおいて、給電オフ受信部１８５ｂは、サーバ装置６００ｂから、給電オフ命令を受信したか否かを判断する。給電オフ受信部１８５ｂは、給電オフ命令を受信していない場合（Ｓ１０７１ｂ：ＮＯ）、ステップＳ１０４０へ進む。また、給電オフ受信部１８５ｂは、給電オフ命令を受信した場合（Ｓ１０７１ｂ：ＹＥＳ）、ステップＳ１０７２ｂへ進む。
【０１６３】
ステップＳ１０７２ｂにおいて、給電開閉部１９０ｂは、命令受信部１２０ｂの保持した命令コード（家電ＩＤ）を破棄（初期化）させ、給電をオフにして、ステップＳ１０４０へ進む。これにより、消費電力測定部１１０、通知制御部１３０ｂ、サーバ通知部１８０、命令送信部１９５ｂ、および給電オフ受信部１８５ｂは動作を停止する。そして、電気機器５００は、無給電状態に移行し、電源オン命令を受信不能な状態となる。
【０１６４】
なお、コンセント装置１００ｂは、給電をオンにしている間は、ステップＳ１０２０、Ｓ１０７０、Ｓ１０７１ｂ、Ｓ１０７２ｂ、Ｓ１０４０の処理のみを繰り返してもよい。また、コンセント装置１００ｂは、ステップＳ１０７０において、２回目以降は、紐付け情報を送信しないようにし、更に、実施の形態３のように、再送要求に応じた再送処理を行ってもよい。
【０１６５】
図２０は、コンセント装置１００ｂおよび電気機器５００の処理の流れの一例を示す図であり、実施の形態２の図７に対応するものである。図７と同一部分には、同一符号を付し、これについての説明を省略する。
【０１６６】
コンセント装置１００ｂは、電源オン命令を受信すると（Ｓ２０１０）、給電停止を解除する（Ｓ２０１１ｂ）。この結果、電気機器５００は、起動されて待機状態となり（Ｓ２１０１ｂ）、待機電力レベルの消費電力上昇が発生する。なお、電気機器５００は、コンセント装置１００ｂに接続されていない場合、この消費電力上昇は発生しない。
【０１６７】
コンセント装置１００ｂは、待機電力レベルの消費電力上昇が発生すると（Ｓ２０２１ｂ：ＹＥＳ）、電源オン命令を発信する（Ｓ２０２２ｂ）。この結果、コンセント装置１００ｂは、動作状態に移行し、動作電力レベルの消費電力上昇が発生する。
【０１６８】
コンセント装置１００ｂは、動作電力レベルの消費電力上昇が発生すると（Ｓ２０３０ｂ：ＹＥＳ）、紐付け情報をサーバ装置６００ｂへ通知する。一方、コンセント装置１００ｂは、待機電力レベルの消費電力上昇が発生しない場合（Ｓ２０２１ｂ：ＮＯ）、保持した紐付け情報（家電ＩＤ）を初期化し（Ｓ２０５０）、給電を停止する（Ｓ２０５１ｂ）。また、コンセント装置１００ｂは、動作電力レベルの消費電力上昇が発生しない場合（Ｓ２０３０ｂ：ＮＯ）、保持した紐付け情報（家電ＩＤ）を初期化し（Ｓ２０５０）、給電を停止する（Ｓ２０５１ｂ）。
【０１６９】
このように、本実施の形態に係るコンセント装置１００ｂは、不要なときは自装置各部および電気機器５００への給電を停止し、電気機器５００を代理して、電源オン命令を待機する。そして、コンセント装置１００ｂは、電源オン命令を受信すると、給電停止を解除し、待機電力レベルの消費電力上昇があった場合、電源オン命令を送信する。一方、コンセント装置１００ｂは、待機電力レベルの消費電力上昇がない場合、および、電源オン命令を送信したにもかかわらず動作電力レベルの消費電力上昇がない場合、給電を停止する。これは、受信した電源オン命令が対象とする電気機器５００が接続されていないからである。
【０１７０】
これにより、コンセント装置１００ｂは、電気機器の識別情報に関する設定作業を行うことなく、紐付け情報を取得することを可能にしつつ、省電力化や安全性向上を図ることができる。
【０１７１】
なお、通知制御部１３０ｂは、予め設定された時間、消費電力が連続して０Ｗであった場合、給電開閉部１９０ｂに対して給電の停止を指示するようにしてもよい。
【０１７２】
また、通知制御部１３０ｂは、サーバ装置６００ｂからの制御命令を受けて、命令送信部１９５ｂを介して、電気機器５００を制御するようにしてもよい。この場合、通知制御部１３０ｂは、サーバ接続部１６０を介して、サーバ装置６００ｂと通信可能に接続する必要がある。
【０１７３】
また、通知制御部１３０ｂは、命令コードを入力した際に、サーバ装置６００ｂなどに対して家電ＩＤを送信し、対応する設定テーブル（図１８参照）を取得するようにしてもよい。
【０１７４】
また、コンセント装置１００ｂは、電源オフ命令の直後に消費電力が低下した場合や、所定の消費電力変化を生じさせる命令信号の直後に、当該所定の消費電力変化が生じた場合に、同様に紐付け情報を取得するようにしてもよい。
【０１７５】
以上説明した各実施の形態に係るコンセント装置の各機能部は、例えば、集積回路により構成されてもよい。コンセント装置の各機能部は、個別に１チップ化されていてもよいし、複数で１チップ化されても良い。集積回路は、集積度の違いにより、ＬＳＩ（large scale integration）、ＩＣ（integrated circuit）、システムＬＳＩ、スーパーＬＳＩ、またはウルトラＬＳＩ等とすることができる。また、集積回路は、専用回路または汎用プロセッサにより実現されるものであってもよい。また、集積回路は、その製造後にプログラムすることが可能なＦＰＧＡ（field programmable gate array）や、内部の回路セルの接続や設定を再構成可能なコンフィギュラブル・プロセッサとしてもよい。更には、コンセント装置の各機能部は、半導体技術の進歩または派生する別技術に応じて、ＬＳＩに置き換わる他の集積回路化の技術（たとえばバイオ技術）により集積化されたものにより実現されてもよい。
【０１７６】
また、本発明は、コンセント装置の形態に留まらず、タップ型やアダプタ型の、各種の配線用差込接続器に適用することができる。
【産業上の利用可能性】
【０１７７】
本発明に係るコンセント装置および情報取得方法は、電気機器の識別情報に関する設定作業を行うことなく、紐付け情報を取得することができる、コンセント装置および情報取得方法として有用である。
【符号の説明】
【０１７８】
１００、１００ａ、１００ｂ  コンセント装置
１１０  消費電力測定部
１２０、１２０ｂ、５２０、５２０ａ  命令受信部
１３０、１３０ａ、１３０ｂ  通知制御部
１４０  電源接続部
１５０  機器接続部
１６０  サーバ接続部
１７０  ＩＤ格納部
１８０  サーバ通知部
１８５ｂ  給電オフ受信部
１９０ｂ  給電開閉部
１９５ｂ  命令送信部
２００、２００ａ、２００ｂ  エネルギー管理システム
３００  分電盤
３１０  電力線
４００  リモコン装置
５００、５００ａ  電気機器
５１０  プラグ
５３０  処理部
６００、６００ａ、６００ｂ  サーバ装置
６１０  ネットワーク
【図１】
2013009559.tif 000003
【図２】
2013009559.tif 000004
【図３】
2013009559.tif 000005
【図４】
2013009559.tif 000006
【図５】
2013009559.tif 000007
【図６】
2013009559.tif 000008
【図７】
2013009559.tif 000009
【図８】
2013009559.tif 000010
【図９】
2013009559.tif 000011
【図１０】
2013009559.tif 000012
【図１１】
2013009559.tif 000013
【図１２】
2013009559.tif 000014
【図１３】
2013009559.tif 000015
【図１４】
2013009559.tif 000016
【図１５】
2013009559.tif 000017
【図１６】
2013009559.tif 000018
【図１７】
2013009559.tif 000019
【図１８】
2013009559.tif 000020
【図１９】
2013009559.tif 000021
【図２０】
2013009559.tif 000022